(57)【要約】【課題】車両の走行に要した費用を精算する際のユーザの負担を軽減することができる割り勘算出装置、割り勘算出方法及びプログラムを提供する。【解決手段】乗車人数検出部１１は、ユーザが所持する携帯端末と無線通信を行って乗車人数を検出し、記憶部１６に記憶させる。走行距離算出部１２は、車両の走行距離を算出し、記憶部１６に記憶させる。料金取得部１３は、車両が通行した有料道路の料金を示す情報を取得し、記憶部１６に記憶させる。燃費取得部１４は、車両の走行中の平均燃料消費率を示す情報を取得し、記憶部１６に記憶させる。入力部１５は、ユーザからの１リットルあたりのガソリン代の入力を受け付け、記憶部１６に記憶させる。割り勘算出部１７は、記憶部１６が記憶する情報に基づいて、割り勘額を算出する。送信部１８は、割り勘額を表示するメールをユーザの携帯端末に無線通信で送信する。【選択図】図２
2012133420.tif 000002
【特許請求の範囲】
【請求項１】
所定の範囲内にある２以上の携帯端末と無線通信を行って携帯端末数を検出し、前記携帯端末数を乗車人数として設定する乗車人数検出部と、
車両の所定の基準からの走行距離を算出する走行距離算出部と、
前記車両が通行した有料道路の料金を含む料金情報を取得する料金取得部と、
前記車両の燃料消費率を示す燃費情報を取得する燃費取得部と、
前記車両に使用する燃料の単位量あたりの燃料代を示す燃料代情報を取得する燃料代取得部と、
前記乗車人数を示す乗車人数情報と、前記走行距離を示す走行距離情報と、前記料金情報と、前記燃費情報と、前記燃料代情報とを記憶する記憶部と、
前記乗車人数情報と、前記走行距離情報と、前記料金情報と、前記燃費情報と、前記燃料代情報とに基づいて、割り勘の対象とする期間の割り勘額を算出する割り勘算出部と、
前記割り勘額を示す割り勘情報を前記携帯端末にそれぞれ送信する送信部と、
を備えることを特徴とする割り勘算出装置。
【請求項２】
前記割り勘額と、前記割り勘算出部による計算内容とを示す明細情報を作成する明細作成部をさらに備え、
前記送信部は前記明細情報を前記携帯端末にそれぞれ送信する、
ことを特徴とする請求項１に記載の割り勘算出装置。
【請求項３】
所定の範囲内にある２以上の携帯端末と無線通信を行って携帯端末数を検出し、前記携帯端末数を乗車人数として設定する乗車人数検出ステップと、
車両の所定の基準からの走行距離を算出する走行距離算出ステップと、
前記車両が通行した有料道路の料金を含む料金情報を取得する料金取得ステップと、
前記車両の燃料消費率を示す燃費情報を取得する燃費取得ステップと、
前記車両に使用する燃料の単位量あたりの燃料代を示す燃料代情報を取得する燃料代取得ステップと、
前記乗車人数を示す乗車人数情報と、前記走行距離を示す走行距離情報と、前記料金情報と、前記燃費情報と、前記燃料代情報とを記憶する記憶ステップと、
前記乗車人数情報と、前記走行距離情報と、前記料金情報と、前記燃費情報と、前記燃料代情報とに基づいて、割り勘の対象とする期間の割り勘額を算出する割り勘算出ステップと、
前記割り勘額を示す割り勘情報を前記携帯端末にそれぞれ送信する送信ステップと、
を備えることを特徴とする割り勘算出方法。
【請求項４】
前記割り勘額と、前記割り勘算出部による計算内容とを示す明細情報を作成する明細作成ステップをさらに備え、
前記送信ステップでは前記明細情報を前記携帯端末にそれぞれ送信する、
ことを特徴とする請求項３に記載の割り勘算出方法。
【請求項５】
コンピュータを、
所定の範囲内にある２以上の携帯端末と無線通信を行って携帯端末数を検出し、前記携帯端末数を乗車人数として設定する乗車人数検出部、
車両の所定の基準からの走行距離を算出する走行距離算出部、
前記車両が通行した有料道路の料金を含む料金情報を取得する料金取得部、
前記車両の燃料消費率を示す燃費情報を取得する燃費取得部、
前記車両に使用する燃料の単位量あたりの燃料代を示す燃料代情報を取得する燃料代取得部、
前記乗車人数を示す乗車人数情報と、前記走行距離を示す走行距離情報と、前記料金情報と、前記燃費情報と、前記燃料代情報とを記憶する記憶部、
前記乗車人数情報と、前記走行距離情報と、前記料金情報と、前記燃費情報と、前記燃料代情報とに基づいて、割り勘の対象とする期間の割り勘額を算出する割り勘算出部、
前記割り勘額を示す割り勘情報を前記携帯端末にそれぞれ送信する送信部、
として機能させることを特徴とするプログラム。
【請求項６】
コンピュータを、
前記割り勘額と、前記割り勘算出部による計算内容とを示す明細情報を作成する明細作成部としてさらに機能させ、
前記送信部は前記明細情報を前記携帯端末にそれぞれ送信する、
ことを特徴とする請求項５に記載のプログラム。
【発明の詳細な説明】
【技術分野】
【０００１】
本発明は、割り勘算出装置、割り勘算出方法及びプログラムに関する。
【背景技術】
【０００２】
車両の走行に要した費用を乗車人数で割り勘して、１人当りの額を計算する割り勘算出機能付きのナビゲーション装置や車載計算装置がある。たとえば、特許文献１に記載のナビゲーション装置は、車での移動以外に交通機関を利用した場合の料金や駐車料金まで含めて割り勘の計算をする。特許文献２に記載の車載計算装置は、運転者の負担や乗車人員の負担能力なども加味して割り勘の計算をする。
【先行技術文献】
【特許文献】
【０００３】
【特許文献１】特開２００１−１７４２７７号公報
【特許文献２】特開２００４−０１３８４２号公報
【発明の概要】
【発明が解決しようとする課題】
【０００４】
特許文献１に記載の発明では、ユーザは少なくとも乗車人数を入力する必要があり、交通機関を利用した場合の料金や駐車料金も、インターネットなどからのデータに基づいて判断できない場合は、これらの情報をユーザが入力する必要がある。特許文献２に記載の発明では、運転者人数、割り勘人数選択情報、運転者の属性、支払金額、その他車両運行に関するデータを入力する必要がある。このように、特許文献１および特許文献２の発明では、ユーザのデータ入力作業が多く、負担が大きい。また、割り勘算出結果はナビゲーション装置や車載計算装置に表示されるだけなので、後日精算したい場合など、ユーザが後から割り勘額を確認したくてもできない。
【０００５】
本発明は、上記実情に鑑みてなされたものであり、車両の走行に要した費用を精算する際のユーザの負担を軽減することができる割り勘算出装置、割り勘算出方法及びプログラムを提供することを目的とする。
【課題を解決するための手段】
【０００６】
本発明の第１の観点に係る割り勘算出装置は、
所定の範囲内にある２以上の携帯端末と無線通信を行って携帯端末数を検出し、前記携帯端末数を乗車人数として設定する乗車人数検出部と、
車両の所定の基準からの走行距離を算出する走行距離算出部と、
前記車両が通行した有料道路の料金を含む料金情報を取得する料金取得部と、
前記車両の燃料消費率を示す燃費情報を取得する燃費取得部と、
前記車両に使用する燃料の単位量あたりの燃料代を示す燃料代情報を取得する燃料代取得部と、
前記乗車人数を示す乗車人数情報と、前記走行距離を示す走行距離情報と、前記料金情報と、前記燃費情報と、前記燃料代情報とを記憶する記憶部と、
前記乗車人数情報と、前記走行距離情報と、前記料金情報と、前記燃費情報と、前記燃料代情報とに基づいて、割り勘の対象とする期間の割り勘額を算出する割り勘算出部と、
前記割り勘額を示す割り勘情報を前記携帯端末にそれぞれ送信する送信部と、
を備えることを特徴とする。
【０００７】
上記割り勘算出装置は、前記割り勘額と、前記割り勘算出部による計算内容とを示す明細情報を作成する明細作成部をさらに備え、
前記送信部は前記明細情報を前記携帯端末にそれぞれ送信してもよい。
【０００８】
本発明の第２の観点に係る割り勘算出方法は、
所定の範囲内にある２以上の携帯端末と無線通信を行って携帯端末数を検出し、前記携帯端末数を乗車人数として設定する乗車人数検出ステップと、
車両の所定の基準からの走行距離を算出する走行距離算出ステップと、
前記車両が通行した有料道路の料金を含む料金情報を取得する料金取得ステップと、
前記車両の燃料消費率を示す燃費情報を取得する燃費取得ステップと、
前記車両に使用する燃料の単位量あたりの燃料代を示す燃料代情報を取得する燃料代取得ステップと、
前記乗車人数を示す乗車人数情報と、前記走行距離を示す走行距離情報と、前記料金情報と、前記燃費情報と、前記燃料代情報とを記憶する記憶ステップと、
前記乗車人数情報と、前記走行距離情報と、前記料金情報と、前記燃費情報と、前記燃料代情報とに基づいて、割り勘の対象とする期間の割り勘額を算出する割り勘算出ステップと、
前記割り勘額を示す割り勘情報を前記携帯端末にそれぞれ送信する送信ステップと、
を備えることを特徴とする割り勘算出方法。
【０００９】
上記割り勘算出方法は、前記割り勘額と、前記割り勘算出部による計算内容とを示す明細情報を作成する明細作成ステップをさらに備え、
前記送信ステップでは前記明細情報を前記携帯端末にそれぞれ送信してもよい。
【００１０】
本発明の第３の観点に係るプログラムは、コンピュータを、
所定の範囲内にある２以上の携帯端末と無線通信を行って携帯端末数を検出し、前記携帯端末数を乗車人数として設定する乗車人数検出部、
車両の所定の基準からの走行距離を算出する走行距離算出部、
前記車両が通行した有料道路の料金を含む料金情報を取得する料金取得部、
前記車両の燃料消費率を示す燃費情報を取得する燃費取得部、
前記車両に使用する燃料の単位量あたりの燃料代を示す燃料代情報を取得する燃料代取得部、
前記乗車人数を示す乗車人数情報と、前記走行距離を示す走行距離情報と、前記料金情報と、前記燃費情報と、前記燃料代情報とを記憶する記憶部、
前記乗車人数情報と、前記走行距離情報と、前記料金情報と、前記燃費情報と、前記燃料代情報とに基づいて、割り勘の対象とする期間の割り勘額を算出する割り勘算出部、
前記割り勘額を示す割り勘情報を前記携帯端末にそれぞれ送信する送信部、
として機能させることを特徴とする。
【００１１】
上記プログラムは、コンピュータを、前記割り勘額と、前記割り勘算出部による計算内容とを示す明細情報を作成する明細作成部としてさらに機能させ、
前記送信部は前記明細情報を前記携帯端末にそれぞれ送信してもよい。
【発明の効果】
【００１２】
本発明によれば、車両の走行に要した費用を精算する際のユーザの負担を軽減することができる。
【図面の簡単な説明】
【００１３】
【図１】本発明の実施の形態１に係る割り勘算出システムの構成例を示す図である。
【図２】実施の形態１に係る割り勘算出装置の構成例を示す図である。
【図３】記憶部が記憶する情報の例を示す図である。
【図４】送信部が送信するメールの例を示す図である。
【図５】実施の形態１に係る割り勘算出の動作の一例を示すフローチャートである。
【図６】本発明の実施の形態２に係る割り勘算出装置の構成例を示す図である。
【図７】明細作成部が作成するメールの例を示す図である。
【図８】実施の形態２に係る割り勘算出の動作の一例を示すフローチャートである。
【図９】本発明の実施の形態に係る割り勘算出装置のハードウェア構成の一例を示す図である。
【発明を実施するための形態】
【００１４】
以下、本発明の実施の形態に係る割り勘算出装置を車載器として適用した例を説明する。
【００１５】
（実施の形態１）
本発明の実施の形態１に係る割り勘算出システム１００は、図１に示すように、車両５に搭載された割り勘算出装置１と、車両５に乗車しているユーザ６が所持する携帯端末２とから構成される。図１の例では、携帯端末２を所持するユーザ６は４人としたが、２人以上で車両５の定員内であれば何人でもよい。割り勘算出装置１および携帯端末２は無線通信機能を備え、互いに無線通信が可能である。
【００１６】
携帯端末２は、通常の電話やメールなどに用いる無線通信機能の他に、割り勘算出装置１と無線通信を行う無線通信機能を備える。後者の無線通信機能には、たとえばBluetooth（登録商標）を採用する。あるいは、割り勘算出装置１にフェムト基地局を搭載すれば、携帯端末２の通常の電話やメールなどに用いる無線通信機能と、割り勘算出装置１と無線通信を行う無線通信機能とを兼ねることができる。
【００１７】
図２に示すように、割り勘算出装置１は、乗車人数検出部１１、走行距離算出部１２、料金取得部１３、燃費取得部１４、入力部１５、記憶部１６、割り勘算出部１７および送信部１８を備える。
【００１８】
乗車人数検出部１１は、ユーザ６が所持する携帯端末２と無線通信を行うことにより、車内に存在する携帯端末２の数を検出し、車内に存在する携帯端末２の数を乗車しているユーザ６の人数（乗車人数）として設定する。たとえば、無線通信としてBluetoothを採用する場合には、乗車人数検出部１１は接続要求の電波を輻射し、応答した携帯端末２のBluetoothアドレスを取得して、その数を乗車人数として設定する。無線通信を乗車人数検出部１１は、検出した乗車人数を示す乗車人数情報を記憶部１６に送る。乗車人数検出部１１が乗車人数を検出するのは、割り勘算出装置１の電源がＯＮになった時でもよいし、ユーザが入力部１５に割り勘算出処理の開始命令を入力した時でもよい。
【００１９】
なお、ユーザ６が１人につき複数台の携帯端末２を持っている場合は、代表する１台の携帯端末２以外の携帯端末２の電源を切るようにする。あるいは、情報提供装置１は、乗車人数検出部１１が検出した携帯端末２の一覧（たとえばBluetoothアドレスで表記）を表示し、ユーザ６がいずれの携帯端末２を登録するかを決定してもよい。この場合、乗車人数検出部１１は、ユーザ６が登録した携帯端末２の数を乗車人数として設定する。
【００２０】
走行距離算出部１２は、車両５の車速パルスを検出し、検出した車速パルスに基づいて走行距離を算出する。走行距離算出部１２は、算出した走行距離を示す走行距離情報を記憶部１６に送る。なお、走行距離算出部１２は、ＧＰＳ受信機を備え、受信したＧＰＳ情報の変化から走行距離を算出してもよい。
【００２１】
料金取得部１３は、ＥＴＣ装置、カーナビゲーション装置などから、車両５が通行した有料道路の料金を示す料金情報を取得し、記憶部１６に送る。
【００２２】
燃費取得部１４は、車両の主要部品を監視する装置であるＯＢＤ２（On-board diagnostics 2）より走行中の平均燃料消費率を示す燃費情報を取得し、記憶部１６に送る。
【００２３】
入力部１５は、ユーザの入力を受け付ける。ユーザは、入力部１５に割り勘算出処理の開始命令を入力する。この命令の入力により、割り勘算出部１７は、割り勘算出処理を開始する。
【００２４】
また、ユーザは、入力部１５に１リットルあたりのガソリン代の入力を行う。入力部１５は、取得した１リットルあたりのガソリン代を示す燃料代情報を記憶部１６に送る。なお、ガソリン代および有料道路の料金の他に割り勘の対象に含める料金（駐車料金などの他の有料設備やサービスの料金）がある場合は、ユーザが入力部１５に入力してもよい。この場合、入力部１５は、入力された割り勘の対象に含める料金を示す情報を料金情報として記憶部１６に送る。
【００２５】
記憶部１６は、乗車人数検出部１１、走行距離算出部１２、料金取得部１３、燃費取得部１４および入力部１５から受け取った乗車人数情報、走行距離情報、料金情報、燃費情報および燃料代情報を記憶する。なお、記憶部１６が記憶する各情報については図３を参照して後述する。
【００２６】
割り勘算出部１７は、記憶部１６が記憶する乗車人数情報、走行距離情報、料金情報、燃費情報および燃料代情報に基づいて、割り勘額を算出する。割り勘算出部１７は、算出した割り勘額を送信部１８に送る。
【００２７】
前述の記憶部１６が記憶する情報は、図３に示すように、乗車人数情報１６１、走行距離情報１６２、燃費情報１６３、燃料代情報１６４および料金情報１６５から構成される。
【００２８】
乗車人数情報１６１は、乗車人数検出部１１が検出した乗車人数を示す情報である。車両５の定員が５人であるとすれば、乗車人数情報１６１が示す値は２〜５のいずれかである。
【００２９】
走行距離情報１６２は、走行距離算出部１２が車両５の車速パルスに基づいて算出した走行距離を累積記憶した情報である。走行距離算出部１２は、定期的に走行距離を算出し、算出した走行距離を示す走行距離情報を記憶部１６に送る。記憶部１６は、これを時系列で走行距離情報１６２として累積記憶する。割り勘算出部１７は、走行距離情報１６２から割り勘の対象とする期間の走行距離の合計を算出する。
【００３０】
燃費情報１６３は、燃費取得部１４が取得した車両５の走行中の平均燃料消費率を累積記憶した情報である。燃費取得部１４は、定期的に走行中の平均燃料消費率を取得し、記憶部１６に送る。記憶部１６は、これを時系列で燃費情報１６３として累積記憶する。割り勘算出部１７は、燃費情報１６３から割り勘の対象とする期間の走行中の平均燃料消費率を算出する。割り勘算出部１７は、割り勘の対象とする期間の走行距離の合計の値を割り勘の対象とする期間の走行中の平均燃料消費率の値で割る。これにより、割り勘の対象とする期間に消費したガソリンの量が算出される。
【００３１】
燃料代情報１６４は、ユーザが入力部１５に入力した１リットルあたりのガソリン代を示す情報である。割り勘算出部１７は、割り勘の対象とする期間に消費したガソリンの量に１リットルあたりのガソリン代の金額を掛けて、割り勘の対象とする期間のガソリン代の合計を算出する。
【００３２】
料金情報１６５は、車両５が通行した有料道路の料金を累積記憶した情報である。料金取得部１３は、車両５が有料道路の料金所を通行するたびに有料道路の料金を示す料金情報を取得し、記憶部１６に送る。記憶部１６は、これを時系列で料金情報１６５として累積記憶する。割り勘算出部１７は、料金情報１６５から割り勘の対象とする期間の車両５が通行した有料道路の料金の合計を算出する。
【００３３】
割り勘算出部１７は、割り勘の対象とする期間のガソリン代の合計と、車両５が通行した有料道路の料金の合計とを足して、乗車人数情報１６１が示す乗車人数で割って、割り勘額を算出する。
【００３４】
送信部１８は、割り勘算出部１７が算出した割り勘額を表示する割り勘情報（メール）を無線通信で携帯端末２に送信する。
【００３５】
送信部１８が送信するメールの例を図４を用いて説明する。ここでは、乗車人数情報１６１が４人、割り勘算出部１７が走行距離情報１６２に基づいて算出した割り勘の対象とする期間の走行距離の合計が４００Ｋｍ、割り勘算出部１７が燃費情報１６３に基づいて算出した割り勘の対象とする期間の走行中の平均燃料消費率が２０ｋｍ／Ｌ、燃料代情報１６４が１２０円／Ｌ、割り勘算出部１７が料金情報１６５に基づいて算出した割り勘の対象とする期間に車両５が通行した有料道路の料金の合計が１２，０００円であったとする。割り勘算出部１７は、走行距離（４００Ｋｍ）÷平均燃料消費率（２０ｋｍ／Ｌ）×燃料代（１２０円／Ｌ）の計算式を計算し、割り勘の対象とする期間のガソリン代の合計（２，４００円）を算出する。
【００３６】
割り勘算出部１７は、｛ガソリン代合計（２，４００円）＋料金合計（１２，０００円）｝÷乗車人数（４人）を計算して、１人あたりの割り勘額（３，６００円）を算出する。割り勘算出部１７は、算出した割り勘額（３，６００円）を送信部１８に送る。
【００３７】
送信部１８は、受け取った割り勘額（３，６００円）を表示するメールを作成し、各携帯端末２にＳＭＳ送信する。なお、図４は、携帯端末２がＳＭＳ受信したメールを表示している画面の例である。本文中に、１人あたりの支払うべき金額が表示されている。本実施の形態では、各人にメールで送信するため、後日精算したい場合にも、受信日時で該当するメールを探すことができる。
【００３８】
実施の形態１に係る割り勘算出装置１が実行する割り勘算出処理の動作を図５に示すフローチャートを用いて説明する。割り勘算出装置１は、電源がＯＮになると図５に示す割り勘算出処理を開始する。
【００３９】
乗車人数検出部１１は、ユーザ６が所持する携帯端末２との接続要求を送信し、応答した携帯端末２の数を乗車しているユーザ６の人数（乗車人数）として設定する（ステップＳ１１）。記憶部１６は、乗車人数検出部１１が検出した乗車人数を示す乗車人数情報１６１を記憶する。走行距離算出部１２は、車両５の車速パルスを検出し、検出した車速パルスに基づいて走行距離を算出する（ステップＳ１２）。記憶部１６は、走行距離算出部１２が算出した走行距離を走行距離情報１６２として累積記憶する。
【００４０】
燃費取得部１４は、走行中の平均燃料消費率を示す燃費情報をＯＢＤ２から取得する（ステップＳ１３）。記憶部１６は、燃費取得部１４が取得した走行中の平均燃料消費率を燃費情報１６３として累積記憶する。料金取得部１３は、車両５が通行した有料道路の料金を示す料金情報を取得する（ステップＳ１４）。記憶部１６は、料金取得部１３が取得した車両５が通行した有料道路の料金を料金情報１６５として累積記憶する。
【００４１】
割り勘算出部１７は、ユーザによって割り勘処理の開始命令が入力されたか否かを判定する（ステップＳ１５）。割り勘処理の開始命令が入力されていない場合（ステップＳ１５；ＮＯ）、ステップＳ１２に戻り、ステップＳ１２〜ステップＳ１５を繰り返す。割り勘処理の開始命令が入力された場合（ステップＳ１５；ＹＥＳ）、入力部１５は、ユーザからの１リットルあたりのガソリン代の入力を受け付ける（ステップＳ１６）。ユーザが１リットルあたりのガソリン代を入力すると、記憶部１６は、入力部１５が受け付けた１リットルあたりのガソリン代を示す燃料費情報１６３を記憶する。
【００４２】
なお、ユーザが割り勘処理の開始命令を入力すると、割り勘算出装置１は、画面表示や音声出力などで、１リットルあたりのガソリン代の入力を促すメッセージをユーザに報知してもよい。また、乗車人数検出部１１による乗車人数の検出（ステップＳ１１）は、割り勘処理の開始命令が入力された後に行ってもよい。
【００４３】
割り勘算出部１７は、割り勘の対象とする期間の走行距離情報１６２から走行距離の合計を算出し、割り勘の対象とする期間の燃費情報１６３から走行中の平均燃料消費率を算出する。割り勘算出部１７は、割り勘の対象とする期間の走行距離の合計の値を割り勘の対象とする期間の走行中の平均燃料消費率の値で割る。これにより、割り勘の対象とする期間に消費したガソリンの量が算出される。そして、割り勘算出部１７は、割り勘の対象とする期間に消費したガソリンの量に１リットルあたりのガソリン代の金額を掛けて、割り勘の対象とする期間のガソリン代の合計を算出する（ステップＳ１７）。
【００４４】
次に、割り勘算出部１７は、料金情報１６５から割り勘の対象とする期間の料金の合計を算出する（ステップＳ１８）。割り勘の対象とする期間は、割り勘算出装置１の電源がＯＮになってから割り勘算出処理の開始命令が入力された時までの期間でもよいし、割り勘算出装置１の電源がＯＮになってから現在までの期間のうち、割り勘の対象とする期間をユーザが指定してもよい。割り勘算出部１７は、割り勘の対象とする期間のガソリン代の合計と料金の合計とを足して、乗車人数情報１６１が示す乗車人数で割った割り勘額を算出する（ステップＳ１９）。送信部１８は、割り勘算出部１７が算出した割り勘額を表示するメールを作成し、無線通信で携帯端末２に送信する（ステップＳ２０）。
【００４５】
以上説明したように、実施の形態１の割り勘算出装置１によれば、１リットルあたりのガソリン代の入力以外は割り勘算出処理に必要な情報をすべて自動で取得するので、ユーザの負担が軽減される。また、割り勘額を各ユーザの所持する携帯端末に送信するので、後日精算したい場合など、後からでも割り勘額を確認できる。
【００４６】
（実施の形態２）
図６に示すように、実施の形態２の割り勘算出装置１は、実施の形態１の割り勘算出装置１に明細作成部１９が追加された構成を有する。割り勘算出部１７は、算出した割り勘額と、その計算内容とを明細作成部１９に送る。明細作成部１９は、割り勘算出部１７が算出した割り勘額とその計算内容を表示するメールフォーマット記憶しており、割り勘額とその計算内容を表示する明細情報（メール）を作成する。明細情報とは、割り勘の対象となる料金の合計を乗車人数で割って算出した割り勘額とその計算内容を示す情報である。計算内容には、割り勘の対象とした料金の明細を含む。明細作成部１９は、作成したメールを送信部１８に送る。送信部１８は、明細作成部１９が作成した明細情報（メール）を無線通信で携帯端末２に送信する。
【００４７】
明細作成部１９が作成するメールの例を図７を用いて説明する。ここでは、乗車人数情報１６１が４人、割り勘算出部１７が走行距離情報１６２に基づいて算出した割り勘の対象とする期間の走行距離の合計が４００Ｋｍ、割り勘算出部１７が燃費情報１６３に基づいて算出した割り勘の対象とする期間の走行中の平均燃料消費率が２０ｋｍ／Ｌ、燃料代情報１６４が１２０円／Ｌ、割り勘の対象とする期間の料金情報１６５が、３，０００円と９，０００円であったとする。割り勘算出部１７は、走行距離（４００Ｋｍ）÷平均燃料消費率（２０ｋｍ／Ｌ）×燃料代（１２０円／Ｌ）の計算式を計算し、割り勘の対象とする期間のガソリン代の合計（２，４００円）を算出する。また、割り勘算出部１７は、有料道路の料金（３，０００円）＋有料道路の料金（９，０００円）の計算式を計算し、割り勘の対象とする期間の料金の合計（１２，０００円）を算出する。
【００４８】
割り勘算出部１７は、｛ガソリン代合計（２，４００円）＋料金合計（１２，０００円）｝÷乗車人数（４）を計算して、１人あたりの割り勘額（３，６００円）を算出する。割り勘算出部１７は、割り勘額（３，６００円）と、これらの計算内容を明細作成部１９に送る。
【００４９】
明細作成部１９は、割り勘算出部１７から受け取った割り勘額（３，６００円）と計算内容とに基づいて、図５に示すようなメールを作成し、送信部１８に送る。送信部１８は、受け取ったメールを各携帯端末２にＳＭＳ送信する。なお、図５は、携帯端末２がＳＭＳ受信したメールを表示している画面の例である。本文中に、乗車人数、走行距離、燃料消費率およびガソリン代（１リットルあたり）と、料金合計およびガソリン代合計の計算式と、割り勘の計算式と、割り勘額とが表示されている。このような明細が表示されているため、これらの情報に誤りがあった場合に、誤りを発見することができる。
【００５０】
なお、誤りがあった場合には、ユーザが正しい情報を入力部１５に入力することで、訂正することができるようにしてもよい。また、明細情報は、乗車人数、走行距離、燃料消費率およびガソリン代（１リットルあたり）と割り勘額だけでもよいし、さらに詳細な内容（たとえば、割り勘とする期間を示す情報や、割り勘とする期間の平均燃料消費率の推移を示す情報や、割り勘とする期間の走行経路を示す情報など）を含んでもよい。
【００５１】
実施の形態２に係る割り勘算出装置１が実行する割り勘算出処理の動作を図８に示すフローチャートを用いて説明する。割り勘算出装置１は、電源がＯＮになると図８に示す割り勘算出処理を開始する。図５で説明したフローチャートのステップＳ１１〜ステップＳ１９と、図８のフローチャートのステップＳ２１〜ステップＳ２９は同一の処理である。
【００５２】
明細作成部１９は、割り勘算出部１７が算出した割り勘額とその計算内容を表示するメールフォーマットを読み出し、割り勘額とその計算内容を表示する明細情報（メール）を作成する（ステップＳ３０）。送信部１８は、明細作成部１９が作成したメールを携帯端末２に送信する（ステップＳ３１）。
【００５３】
以上説明したように、実施の形態２の割り勘算出装置１によれば、割り勘算出におけるユーザの負担を軽減することができ、後日精算したい場合など、後からでもユーザが割り勘額を確認できる。さらに、各ユーザの所持する携帯端末２に割り勘額とその計算内容とを送信するため、割り勘の計算内容に誤りがあった場合に、誤りを発見することができる。
【００５４】
実施の形態では、記憶部１６は、走行距離情報１６２を時系列で累積記憶し、割り勘算出部１７は、割り勘の対象とする期間の走行距離情報１６２から走行距離の合計を算出した。走行距離算出部１２は、検出した車速パルスを記憶部１６に逐次累積記憶し、割り勘算出部１７は、記憶部１６に記憶された車速パルスが示す車速の変化グラフの割り勘の対象とする期間を積分することで、割り勘の対象とする期間の走行距離を算出してもよい。
【００５５】
また、実施の形態では、単位量あたりの燃料代を示す情報は、ユーザが入力部１５に入力した。割り勘算出装置１は、送信部１８が、インターネットなどの外部のネットワークに接続する機能を備え、単位量あたりの燃料代を示す情報を外部のネットワークから取得してもよい。たとえば、割り勘の対象とする区間が東京都２３区内であった場合、東京都２３区内の現在の１リットルあたりのガソリン代の平均金額を示す情報をインターネット上の情報から取得する。あるいは、外部のネットワークを介して、各地域の現在の１リットルあたりのガソリン代の平均金額を示す情報を記憶しているサーバにアクセスして、割り勘の対象とする区間の１リットルあたりのガソリン代の平均金額を示す情報を取得してもよい。
【００５６】
これにより、割り勘算出において、ユーザが割り勘算出装置１に対して行う入力操作は、割り勘算出処理の開始命令の入力のみとなり、よりユーザの負担を軽減することができる。同様に、割り勘の対象に含める他の料金（駐車料金などの他の有料設備やサービスの料金）も、外部のネットワークから取得できる場合は取得してもよい。
【００５７】
また、実施の形態では、割り勘算出装置１を車載器として適用した例を説明した。しかし、本発明の適用は、これに限らない。たとえば、ユーザの携帯端末２のうちの１つを割り勘算出装置１として使用することができる。この場合、割り勘算出装置１として使用する携帯端末２の走行距離算出部１２は、ＧＰＳ受信機を備え、受信したＧＰＳ情報の変化から走行距離を算出する。また、料金取得部１３は、ユーザが入力した、有料道路などの料金情報を取得する。燃費取得部１４は、ユーザが入力した、車両５の走行中の平均燃料消費率を示す情報を取得する。
【００５８】
あるいは、割り勘算出装置１として使用する携帯端末２の走行距離算出部１２、料金取得部１３および燃費取得部１４は、それぞれ走行距離を示す情報、料金情報および燃料消費率を示す情報をナビゲーション装置から取得してもよいし、送信部１８が、インターネットなどの外部のネットワークに接続する機能を備え、外部のネットワークから取得してもよい。このように、ユーザが所持する携帯端末２に本発明を適用することで、車載器を搭載しない車両においても本発明を実施できる。
【００５９】
割り勘算出装置１のハードウェア構成の一例を図９を用いて説明する。割り勘算出装置１は、図６に示すように、制御部３１、主記憶部３２、外部記憶部３３、操作部３４、表示部３５および送受信部３６を備える。主記憶部３２、外部記憶部３３、操作部３４、表示部３５および送受信部３６はいずれも内部バス３０を介して制御部３１に接続されている。
【００６０】
制御部３１はＣＰＵ（Central Processing Unit）等から構成され、外部記憶部３３に記憶されている制御プログラム３９に従って、割り勘算出装置１の乗車人数検出部１１、走行距離算出部１２、料金取得部１３、燃費取得部１４、割り勘算出部１７、送信部１８および明細書作成部１９の各処理を実行する。
【００６１】
主記憶部３２はＲＡＭ（Random-Access Memory）等から構成され、外部記憶部３３に記憶されている制御プログラム３９をロードし、制御部３１の作業領域として用いられる。
【００６２】
外部記憶部３３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、割り勘算出装置１の処理を制御部３１に行わせるためのプログラムをあらかじめ記憶し、また、制御部３１の指示に従って、このプログラムが記憶するデータを制御部３１に供給し、制御部３１から供給されたデータを記憶する。記憶部１６は、外部記憶部３３に構成される。
【００６３】
操作部３４はキーボードおよびマウスなどのポインティングデバイス等と、キーボードおよびポインティングデバイス等を内部バス３０に接続するインタフェース装置から構成されている。ユーザが１リットルあたりのガソリン代を入力する場合などは、操作部３４を介して、指示が制御部３１に供給される。操作部３４は、入力部１５として機能する。
【００６４】
表示部３５は、ＣＲＴ（Cathode Ray Tube）またはＬＣＤ（Liquid Crystal Display）などから構成され、ユーザが１リットルあたりのガソリン代を入力する場合や、１リットルあたりのガソリン代の入力を促すメッセージをユーザに報知する場合などは、操作画面や表示画面を表示する。
【００６５】
送受信部３６は、無線通信装置で構成されている。送受信部３６は、携帯端末２と無線通信を行う。送受信部３６は、乗車人数検出部１１および送信部１８として機能する。
【００６６】
図１、図７または図１３に示す割り勘算出装置１の乗車人数検出部１１、走行距離算出部１２、料金取得部１３、燃費取得部１４、入力部１５、記憶部１６、割り勘算出部１７、送信部１８および明細書作成部１９の処理は、制御プログラム３９が、制御部３１、主記憶部３２、外部記憶部３３、操作部３４、表示部３５および送受信部３６を資源として用いて処理することによって実行する。
【００６７】
その他、前記のハードウェア構成やフローチャートは一例であり、任意に変更および修正が可能である。
【００６８】
制御部３１、主記憶部３２、外部記憶部３３、内部バス３０などから構成される制御処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、該コンピュータプログラムをコンピュータにインストールすることにより、前記の処理を実行する割り勘算出装置１を構成してもよい。また、インターネット等の通信ネットワーク上のサーバ装置が有する記憶装置に該コンピュータプログラムを格納しておき、通常のコンピュータシステムがダウンロード等することで割り勘算出装置１を構成してもよい。
【００６９】
また、割り勘算出装置１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００７０】
また、搬送波にコンピュータプログラムを重畳し、通信ネットワークを介して配信することも可能である。たとえば、通信ネットワーク上の掲示板(BBS：Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【符号の説明】
【００７１】
１  割り勘算出装置
２  携帯端末
５  車両
６  ユーザ
１１  乗車人数検出部
１２  走行距離算出部
１３  料金取得部
１４  燃費取得部
１５  入力部
１６  記憶部
１７  割り勘算出部
１８  送信部
１９  明細作成部
３１  制御部
３２  主記憶部
３３  外部記憶部
３４  操作部
３５  表示部
３６  送受信部
３９  制御プログラム
１００  割り勘算出システム
１６１  乗車人数情報
１６２  走行距離情報
１６３  燃費情報
１６４  燃料代情報
１６５  料金情報
【図１】
2012133420.tif 000003
【図２】
2012133420.tif 000004
【図３】
2012133420.tif 000005
【図４】
2012133420.tif 000006
【図５】
2012133420.tif 000007
【図６】
2012133420.tif 000008
【図７】
2012133420.tif 000009
【図８】
2012133420.tif 000010
【図９】
2012133420.tif 000011